(57)【特許請求の範囲】
【請求項１】
洗濯物の投入口を有する外箱と、前記外箱内に弾性支持して収納された水槽と、前記水槽内に回転可能に配設された回転槽と、前記水槽に設けられ前記外箱の投入口から前記回転槽内に洗濯物を投入するための開口部と、前記外箱の投入口と前記水槽の開口部との間を水密に接続する弾性変形可能な円筒状のベローズとを備え、
前記ベローズは、前記外箱の投入口のフランジ状の開口縁部に外嵌する環状の固定片部を有し、前記固定片部にワイヤをリング状に外嵌させることで前記外箱の投入口に固定されており、
前記ワイヤは、一端部を前記外箱の投入口の開口縁部に固定し、前記外箱の投入口周りにリング状に巻き付け、更に、他端部を前記一端部と周方向に重なり部分を持たせて前記投入口の開口縁部に固定することにより、リング状に取り付けられており、
前記固定片部には、前記ワイヤによる締付部よりも外周側の先端部に、前記締付部での肉厚よりも肉厚を大きく設定することで前記ベローズのワイヤからの抜けを防ぐための突起が、周方向の少なくとも一部に設けられ、前記突起が、周方向に沿って延びる突条よりなり、前記ワイヤの重なり部分に相当する周方向位置に切り欠き部を持つ環状に設けられた、
ことを特徴とするドラム式洗濯機。
【請求項２】
前記突条が、前記固定片部の周方向において断続状に設けられたことを特徴とする請求項１記載のドラム式洗濯機。
【請求項３】
前記突条が、内周側部分と前記内周側部分よりも突出高さの低い外周側部分とを含む高さ方向の段付き形状をなしていることを特徴とする請求項１又は２に記載のドラム式洗濯機。
【請求項４】
前記突条が、前記固定片部の周方向において幅広の第１突条部分と幅狭の第２突条部分とを交互に備えてなることを特徴とする請求項１〜３のいずれか１項に記載のドラム式洗濯機。
【発明の詳細な説明】
【技術分野】
【０００１】
本発明は、ドラム式洗濯機に関するものである。
【背景技術】
【０００２】
一般にドラム式洗濯機においては、外箱前面に円形に形成された洗濯物の投入口とこれに内方から臨むように円形に形成された水槽の開口部との間が、防振及び防水機能を有する弾性材製で蛇腹円筒状のベローズによって連結されている。かかるベローズを外箱の投入口に固定する方法として、投入口の開口縁部にベローズの外箱側端部に形成されたフランジ部を被せ、これをリング状のワイヤで締め付ける方法がある。しかしながら、このような固定構造の場合、水槽内に配設された回転槽から洗濯物を取り出したり、回転槽内に洗濯物を投入したりする際に、ベローズが洗濯物に引き摺られるとその外箱側端部が前方又は回転槽の内部方向に引っ張られてワイヤから外れるように動き、その結果、ベローズが外箱の前記投入口から抜けるおそれがある。そのため、ベローズの外箱側端部を、リング状に形成されたベローズ固定金具を用いたネジ締結により前記フランジ部を外箱に固定することで、抜け力を確保する構成が採用されている（例えば、特許文献１参照）。
【先行技術文献】
【特許文献】
【０００３】
【特許文献１】特開平１０−２１１３８２号公報
【発明の概要】
【発明が解決しようとする課題】
【０００４】
しかしながら、上記従来のようにベローズ固定金具及びネジを用いた固定方法では、部品点数が多くなり、構造も複雑である。
【０００５】
そこで、本発明は、簡単な構成で、ベローズの外箱投入口からの抜けを抑えることができるドラム式洗濯機を提供することを目的とする。
【課題を解決するための手段】
【０００６】
上記課題を解決するために、本発明に係るドラム式洗濯機は、洗濯物の投入口を有する外箱と、前記外箱内に弾性支持して収納された水槽と、前記水槽内に回転可能に配設された回転槽と、前記水槽に設けられ前記外箱の投入口から前記回転槽内に洗濯物を投入するための開口部と、前記外箱の投入口と前記水槽の開口部との間を水密に接続する弾性変形可能な円筒状のベローズとを備え、前記ベローズは、前記外箱の投入口のフランジ状の開口縁部に外嵌する環状の固定片部を有し、前記固定片部にワイヤをリング状に外嵌させることで前記外箱の投入口に固定されており、前記ワイヤは、一端部を前記外箱の投入口の開口縁部に固定し、前記外箱の投入口周りにリング状に巻き付け、更に、他端部を前記一端部と周方向に重なり部分を持たせて前記投入口の開口縁部に固定することにより、リング状に取り付けられており、前記固定片部には、前記ワイヤによる締付部よりも外周側の先端部に、前記締付部での肉厚よりも肉厚を大きく設定することで前記ベローズのワイヤからの抜けを防ぐための突起が、周方向の少なくとも一部に設けられ、前記突起が、周方向に沿って延びる突条よりなり、前記ワイヤの重なり部分に相当する周方向位置に切り欠き部を持つ環状に設けられたことを特徴とするものである。
【発明の効果】
【０００７】
本発明によれば、ベローズの外箱側の固定部において、抜け止め形状の突起を設けたことにより、ワイヤによる固定構造でありながら、十分な抜け力を確保することができ、ベローズの外箱からの抜けを抑えることができる。
【図面の簡単な説明】
【０００８】
【図１】第１実施形態に係るドラム式洗濯機の斜視図である。
【図２】同洗濯機の投入口周辺部における要部拡大断面図である（図１のII−II線断面図）。
【図３】同洗濯機の投入口周辺部における一部切断正面図である（図２のIII−III線に相当する位置で切断）。
【図４】第１実施形態に係るベローズの正面図である。
【図５】同ベローズの断面図である。
【図６】第２実施形態に係るベローズの要部拡大断面図である。
【図７】第３実施形態に係るベローズの正面図である。
【図８】同ベローズの要部拡大断面図であり、（ａ）は図７のVIIIａ−VIIIａ線に相当する断面、（ｂ）はVIIIｂ−VIIIｂ線に相当する断面である。
【図９】第４実施形態に係るベローズの正面図である。
【図１０】第５実施形態に係るベローズの要部拡大断面図である。
【図１１】第６実施形態に係るベローズの要部拡大断面図である。
【図１２】第７実施形態に係るベローズの要部正面図である。
【図１３】第８実施形態に係るベローズの要部正面図である。
【図１４】第９実施形態に係るベローズの要部正面図である。
【発明を実施するための形態】
【０００９】
以下、本発明の実施形態について図面に基づいて説明する。
【００１０】
（第１実施形態）
図１，２に示すように、ドラム式洗濯機１０は、洗濯物の投入口１２を有する外箱１４と、外箱１４内に収納され弾性支持された貯水容器としての水槽１６と、水槽１６内に回転可能に配設されたドラムとしての回転槽１８とを備えてなる。
【００１１】
外箱１４は、略矩形箱状をなし、その前面に円形の凹所２０が設けられ、該凹所２０に円形の洗濯物投入口１２が形成されている。凹所２０には、前記投入口１２を開閉するドア２２が取り付けられている。ドア２２は、投入口１２の開口縁部の左右いずれか一方に設けられたヒンジ２３により回動可能に設けられ、投入口１２を閉鎖した状態で凹所２０内に収納されるよう構成されている。ドア２２は、環状のドアフレーム２４と、その内側において洗濯機内部を透視できる材料からなるガラス窓としてのドア本体部２６とからなり、ドア本体部２６の裏面形状は投入口１２より奥内方に膨出した形状をなしている。
【００１２】
水槽１６は、軸芯を略水平方向、厳密には前方に向かってやや上方に傾斜した方向に向け、かつ後面が閉塞された円筒状をなすものであり、不図示のダンパを介して外箱１４の底板に弾性支持されている。水槽１６の前面は、上記外箱１４の投入口１２を後方から臨む位置において前方に開口して設けられており、投入口１２から回転槽１８内に洗濯物を投入するための円形の開口部２８を構成している。
【００１３】
回転槽１８は、水槽１６の内部において水槽１６と同軸に配され、かつ後面が閉塞された円筒状部材であり、不図示のモータに接続されて、水槽１６と同軸の軸芯を中心に回転可能に構成されている。回転槽１８の前面の開口部３０は、水槽１６の開口部２８の後方において軸方向に対向して設けられており、投入口１２から開口部２８及び開口部３０を通して洗濯物が回転槽１８内に投入されるように構成されている。なお、回転槽１８の円筒壁には複数の貫通孔３２が形成されており、回転槽１８内の水と水槽１６内の水がこれら複数の貫通孔３２を通して相互に流通可能とされている。
【００１４】
外箱１４の投入口１２と水槽１６の開口部２８との間には、図２に示すように、円筒状のベローズ３４が介設されており、両者の間を水密に接続している。ベローズ３４は、ＥＰＤＭ（エチレン−プロピレンゴム）等のエラストマー（弾性材料）からなり、水槽１６が洗い時、すすぎ時及び脱水時の振動で外箱１４に対して相対的に振動することに追従して弾性変形することによる防水機能と、洗濯時のモータの振動が水槽１６から外箱１４に伝わるのを抑制する防振機能を発揮する。
【００１５】
ベローズ３４は、軸方向の一端部（前端部）に外箱１４の投入口１２に取り付けられる外箱側取付部３６を有し、軸方向の他端部（後端部）に水槽１６の開口部２８に取り付けられる水槽側取付部３８を有する短円筒状部材である。ベローズ３４は、外箱側取付部３６から後方（奥方）に延びる円筒状の筒状部３９と、該筒状部３９の後端から外周側に蛇腹状に折り返されて水槽側取付部３８に連結された伸縮部４０とを備える。
【００１６】
筒状部３９の外周には、円筒状の緩衝部材４１が配されている。緩衝部材４１は、水槽１６の振動時に伸縮部４０が弾性変形して筒状部３９に直接当接することにより異音が発生するのを防止するクッション材であり、ＥＰＤＭの発泡体などで形成されている。
【００１７】
また、筒状部３９の外周面には、径方向外方に向けてフランジ状の緩衝壁４２が一体に形成されている。緩衝壁４２は、伸縮部４０とその前方に位置する外箱１４の前板４４との間に介在して、伸縮部４０が弾性変形したときに前板４４の裏面に直接当接するのを防止する。
【００１８】
ベローズ３４の前端部に相当する外箱側取付部３６には、径方向内方側に向けて環状のリップ４６が突設されている。リップ４６は、ドア２２の閉塞状態において、ドア本体部２６の裏面に当接することにより、ドア２２との間でシール機能を発揮する。
【００１９】
水槽側取付部３８の水槽１６への固定構造について説明する。水槽１６の前端部には、径方向内方に突出する内フランジ部４８が設けられ、内フランジ部４８の内側が開口部２８として形成されている。内フランジ部４８には、前方に向けて突出した円筒状の取付筒部５０と、該取付筒部５０の先端から径方向外方に突出した取付フランジ部５２とが設けられ、これにより、取付筒部５０の外周側に嵌合凹溝５４が形成されている。ベローズ３４の水槽側取付部３８は、取付フランジ部５２が嵌入する溝部５６と、嵌合凹溝５４に外嵌する断面略Ｕ字状の係合部５８を備え、係合部５８の外周にワイヤ６０をリング状に外嵌し締め付けることにより、水槽側取付部３８は水槽１６の開口部２８に取り付け固定されている。
【００２０】
次に、外箱側取付部３６の外箱１４への固定構造について説明する。外箱１４の前面部には金属板よりなる前板４４が設けられ、該前板４４に円形の開口部が設けられることで、当該開口部により投入口１２が形成されている。より詳細には、前板４４の前面は樹脂製の化粧板６２により覆われており、該化粧板６２により外箱１４前面部の上記凹所２０が形成されている。
【００２１】
投入口１２の開口縁部は、外向き逆テーパ状に折り返して突出させたフランジ状をなしている。より詳細には、投入口１２の開口縁部は、前板４４の開口縁部を前方かつ径方向外方側に折り返すことで逆テーパ状に広がる前側フランジ部６４を全周にわたって形成し、これにより、前側フランジ部６４の外周に前板４４の本体部分との間で断面略Ｖ字状、即ち鋭角状の嵌合溝６６を形成してなる。
【００２２】
一方、ベローズ３４の外箱側取付部３６は、上記嵌合溝６６に外嵌する環状かつヒレ状の固定片部６８を有し、固定片部６８にワイヤ７０をリング状にして外嵌させることで前板４４に固定されている。詳細には、固定片部６８は、図２，５に示されるように、外側取付部３６の前端から後方に延びる第１片部６８Ａと、第１片部６８Ａの後端から径方向外向きに延びる第２片部６８Ｂとからなり、第１片部６８Ａの内周側に前側フランジ部６４が嵌合する後方に向けて開かれた溝部７２が設けられて、断面略Ｚ字状をなしている。
【００２３】
ワイヤ７０は、周方向の一部にコイルバネ部７４を有し（図３参照）、その縮径しようとするスプリング力により、固定片部６８を前板４４に締め付け固定する。すなわち、固定片部６８は、ワイヤ７０によって嵌合溝６６内に押し込まれ、ワイヤ７０の締め付け力によって当該嵌合溝６６内に固定される。
【００２４】
図３に示すように、ワイヤ７０は、一端部７０Ａが外箱１４の投入口１２の開口縁部に設けられた第１取付け孔７６に引っ掛けることで固定され、そこから投入口１２の周りにリング状に１周巻き付けられ、更に、他端部７０Ｂが投入口１２の開口縁部に設けられた第２取付け孔７８に引っ掛けることで固定されることにより、リング状に取り付けられている。他端部７０Ｂには上記コイルバネ部７４が設けられており、このコイルバネ部７４を含む周方向部分が上記一端部７０Ａと周方向で所定の重なり部分７０Ｃを持つようにして、他端部７０Ｂは第２取付け孔７８に引っ掛け固定されている。この重なり部分７０Ｃは、ワイヤ７０の取付作業性の点から、投入口１２の上縁側に配されている。
【００２５】
図２に示すように、固定片部６８には、ワイヤ７０による締付部よりも外周側の先端部にベローズ３４のワイヤ７０からの抜けを防ぐための突起８０が設けられている。突起８０は、固定片部６８の先端部での肉厚Ｔ１が、ワイヤ７０による締付部での肉厚Ｔ０よりも大きくなるように、固定片部６８の先端部に突設されている。より詳細には、突起８０は、前板４４の壁面に沿って延びる第２片部６８Ｂの径方向外周縁部において、前記壁面から離れる方向に向けて突出し、即ち、該壁面に対し直立して設けられている。
【００２６】
突起８０は、固定片部６８の先端部において周方向に沿って延びる突条からなり、この例では、図３，４に示すように、１重の略環状をなして、ワイヤ７０の上記重なり部分７０Ｃに相当する周方向位置（即ち、上側部分）に切り欠き部８２を有する平面視で略Ｃ字状に形成されている。また、突起８０は、周方向で高さ一定、かつ幅も一定に設定されている。なお、図３，４では突起８０の形状を分かりやすくするために塗り潰して示している。
【００２７】
以上よりなる本実施形態の洗濯機１０であると、次の作用効果が奏される。すなわち、ベローズ３４の外箱側取付部３６においては、回転槽１８内から洗濯物を取り出したり、投入口１２から回転槽１８内に洗濯物を投入したりする際、ベローズ３４のリップ４６が洗濯物によって前方又は回転槽１８の内部方向に引っ張られることがある。これにより、ベローズ３４の固定片部６８には、外箱１４の前側フランジ部６４を乗り越えて径方向内側に引っ張られるような力が作用するので、ワイヤ７０による締結部から固定片部６８が外れ、その結果、ベローズ３４が外箱１４から抜けるおそれがある。
【００２８】
これに対し、本実施形態のものでは、ベローズ３４の固定片部６８の先端部に抜け止め形状となる突起８０を設けたので、ワイヤ７０が突起８０を乗り越えるまでの間、換言すれば突起８０がワイヤ７０を潜り抜けるまでの間、ベローズ３４の外箱１４からの抜けを防止することができる。突起８０の高さにもよるが、固定片部６８が外箱１４から外れるのに要する力である抜け力を、例えば２倍以上に設定することができる。よって、ワイヤ７０による固定構造でありながら、突起８０という簡単な構成の付加で、十分な抜け力を確保することができ、ベローズの外箱からの抜けを抑えることができる。
【００２９】
突起８０は周方向の少なくとも一部に設けられていればよいが、本実施形態のものでは、周方向に沿った突条により形成したので、点状に設けられた突起の場合に比べて、周方向で補強し合うことができ、そのため、ワイヤ７０がより乗り越えにくくなって、抜け止め効果を向上することができる。
【００３０】
また、本実施形態では、突起８０がワイヤ７０の重なり部分７０Ｃで切り欠き部８２を有しており、すなわち、重なり部分７０Ｃには突起８０が設けられていない。そのため、例えば、ワイヤ７０のコイルバネ部７４が突起８０上に乗り上げた状態で組み付けられる不具合を回避でき、ワイヤ７０の取付作業性が向上する。また、この突起８０を設けていない切り欠き部８２では、重なり部分７０Ｃによりワイヤ７０が二重に巻き付けられているので、突起８０がなくてもある程度の抜け力を確保することができる。
【００３１】
なお、ベローズ３４の水槽側取付部３８においては、ワイヤ６０によって締め付けられる係合部５８にはこのような抜け止めの突起を設けていない。水槽側取付部３８は、ベローズ３４の筒状部３９よりも径方向外方に位置し、かつ伸縮部４０を介して接続されているため、洗濯物の出し入れの際に過大な力が作用することがない。そのため、外箱側取付部３６のように大きな抜け力を確保する必要がないので、水槽側取付部３８の係合部５８は、嵌合凹溝５４に沿って断面略Ｕ字状に設けられているにすぎない。
【００３２】
（第２実施形態）
図６は、第２実施形態に係るベローズ３４Ａの要部を示した断面図である。この例では、ベローズ３４Ａの固定片部６８に設けた突起８０Ａが、高さ方向の段付き形状とされた点で、第１実施形態とは異なる。
【００３３】
すなわち、この例において、突起８０Ａは、図６に示す断面形状において、ワイヤ７０による締結部に近い側の内周側部分８４と、該内周側部分８４よりも突出高さの低い外周側部分８６とからなる段付き形状をなしている。この場合、突出高さの高い内周側部分８４が、ワイヤ７０の乗り越えを防止する本来の抜け止め突起であり、内周側部分８４の外周に一体に設けられた高さの低い外周側部分８６は、内周側部分８４を補強して抜け止め効果を向上するために設けられている。
【００３４】
この段付き形状の突起８０Ａは、周方向で一定の断面形状としてもよく、あるいはまた、外周側部分８６を有しない断面形状と周方向で交互に設けてもよい。その他の構成及び作用効果は第１実施形態と同様であり、説明は省略する。
【００３５】
（第３実施形態）
図７は、第３実施形態に係るベローズ３４Ｂの平面図である。この例では、ベローズ３４Ｂの固定片部６８に設けた突起８０Ｂが、固定片部６８の周方向において幅広の第１突条部分８８と幅狭の第２突条部分９０とを交互に設けてなる点で、第１実施形態とは異なる。なお、図７では突起８０Ｂの形状を分かりやすくするために塗り潰して示している（但し、拡大図は除く）。
【００３６】
すなわち、この例において、平面視Ｃ字状をなす突起８０Ｂは、幅広の第１突条部分８８と、これよりも幅の狭い第２突条部分９０とが周方向に交互に設けられることで、幅方向での段付き形状とされている。より詳細には、図７，８に示されるように、幅広の第１突条部分８８は、幅狭の第２突条部分９０に対して径方向外方側に増肉することにより、周方向の所定間隔毎に径方向外方側に張り出した形状に形成されている。
【００３７】
この場合、幅広の第１突条部分８８を周方向に断続状に設けたことにより、抜け止め形状が補強されて、ワイヤ７０からのベローズ３４Ｂの外れをより効果的に防止することができる。また、周方向の全体で幅広の第１突条部分を設ける場合に比べて、ベローズ３４Ｂを外箱１４に組み付ける際に、固定片部６８を広げて嵌合溝６６に装着しやすく、よって、取付作業性と抜け止め効果を両立することができる。その他の構成及び作用効果は第１実施形態と同様であり、説明は省略する。
【００３８】
（第４実施形態）
図９は、第４実施形態に係るベローズ３４Ｃの平面図である。この例では、ベローズ３４Ｃの固定片部６８に設けた突起８０Ｃが、周方向において断続状に設けられた点で、第１実施形態とは異なる。なお、図９では突起８０Ｃの形状を分かりやすくするために塗り潰して示している。
【００３９】
すなわち、この例において、突起８０Ｃは、ワイヤ７０の重なり部分７０Ｃに相当する位置において切り欠き部８２が設けられた平面視Ｃ字状である点では第１実施形態と同様であるが、該Ｃ字状部分において、周方向に連続した突条ではなく、所定間隔において断続状に設けられている。
【００４０】
このように突起８０Ｃを断続状に設けることにより、ベローズ３４Ｃを外箱１４に組み付ける際に、固定片部６８を広げて嵌合溝６６に装着しやすく、取付作業性を向上することができる。その他の構成及び作用効果は第１実施形態と同様であり、説明は省略する。
【００４１】
（第５実施形態）
図１０は、第５実施形態に係るベローズ３４Ｄの固定片部６８における要部拡大断面図である。この例では、固定片部６８の断面形状において、第２片部６８Ｂに対する突起８０Ｄの付け根部の形状が第１実施形態とは異なる。
【００４２】
すなわち、この例では、第２片部６８Ｂから突出する突起８０Ｄの付け根部の曲率半径が、内周側と外周側とで異なっており、ワイヤ７０側に位置する内周側の付け根部の曲率半径Ｒ１よりも、外周側の付け根部の曲率半径Ｒ２の方が大きく設定されている。
【００４３】
このように内周側の曲率半径Ｒ１を小さくすることで、ワイヤ７０が突起８０Ｄに乗り上げにくくすることができ、また、外周側の曲率半径Ｒ２を大きくすることで、突起８０Ｄを外側に倒れ込みにくく補強することができるので、ワイヤ７０からのベローズ３４Ｄの外れをより効果的に防止することができる。その他の構成及び作用効果は第１実施形態と同様であり、説明は省略する。
【００４４】
（第６実施形態）
図１１は、第６実施形態に係るベローズ３４Ｅの固定片部６８における要部拡大断面図である。この例では、固定片部６８の断面形状において、突起８０Ｅを、第２片部６８Ｂの表裏両面に設けた点で第１実施形態とは異なる。
【００４５】
すなわち、この例において、突起８０Ｅは、第２片部６８Ｂの表面（即ち、前面）から前方に突出する第１凸部９２と、第２片部６８Ｂの裏面（即ち、後面）から前板４４側に突出する第２凸部９４とからなる。
【００４６】
このように裏面側にも突起（第２凸部９４）を設けた場合、固定片部６８をワイヤ７０で締め付けたときに、裏面側の第２凸部９４の存在によって表面側の第１凸部９２がワイヤ７０側に傾いた状態となり、第１凸部９２を外側に倒れにくくすることができる。そのため、ワイヤ７０からのベローズ３４Ｅの外れをより効果的に防止することができる。その他の構成及び作用効果は第１実施形態と同様であり、説明は省略する。
【００４７】
（第７実施形態）
以上の実施形態では、突起８０、８０Ａ〜Ｅはいずれも１重に設けられていたが、２重ないし３重に多重に設けることもできる。
【００４８】
図１２は、第７実施形態に係るベローズ３４Ｆに関し、この例では、突起８０Ｆを２重に設けている。そして、単に内外２重に設けるだけでなく、内周側の突条９６と外周側の突条９８との間に、放射状のリブ１００を設けて両突条９６，９８を連結している。リブ１００は、周方向において所定の間隔をおいて設けられている。なお、図１２では突起８０Ｆの形状を分かりやすくするために塗り潰して示している。
【００４９】
このように内外２重の突条９６，９８を設け、両者を放射状のリブ１００で連結したことにより、ワイヤ７０の抜けを防止する内周側の突条９６を補強して、ワイヤ７０からのベローズ３４Ｆの外れを効果的に防止することができる。その他の構成及び作用効果は第１実施形態と同様であり、説明は省略する。
【００５０】
（第８実施形態）
図１３は、第８実施形態に係るベローズ３４Ｇに関し、この例では、突起８０Ｇを２重に設けているが、内外の突条９６，９８ともに断続状に設けており、しかも、内周側の突条９６と外周側の突条９８が周方向で互い違いに配されている。このように構成することで、ベローズ３４Ｇの外箱１４への取付作業性と抜け止め効果を両立することができる。その他の構成及び作用効果は第１実施形態と同様であり、説明は省略する。なお、図１３では突起８０Ｇの形状を分かりやすくするために塗り潰して示している。
【００５１】
（第９実施形態）
以上の実施形態では、いずれも突起８０、８０Ａ〜Ｇを周方向に沿って延びる突条により構成したが、かかる突起は周方向の少なくとも一部に設けられていれば、周方向に延びる突条には限定されない。
【００５２】
図１４は、第９実施形態に係るベローズ３４Ｈに関し、この例では、突起８０Ｈは略ピン形状をなして、周方向に所定間隔をおいて並設されている。このように点状に独立した突起８０Ｈであっても、固定片部６８の先端部の厚くすることでベローズ３４Ｈの抜けを防止することができる。その他の構成及び作用効果は第１実施形態と同様であり、説明は省略する。
【００５３】
（その他の実施形態）
上記各実施形態の他、図示はしないが突起形状としては種々の形状を採用することができる。例えば、突起を３重以上に設けて、それらの径方向での間隔を不等間隔に配置してもよい。また、上述した各実施形態の突起形状は、適宜に組み合わせて採用することができる。
【００５４】
なお、図６や図７、図１０〜１２のような突起の補強構造を設ける場合、投入口１２の周方向において、その開口縁の下側部分のみに設けてもよい。投入口１２の下縁側部分は、洗濯物を出し入れする際に、他の部分よりもベローズ３４に力がかかりやすく、抜け易いため、この部分に限定して補強構造を設けることで、より効果的なベローズの抜け止めを図ることができる。その他、一々列挙しないが、本発明の趣旨を逸脱しない限り、種々の変更が可能である。
【符号の説明】
【００５５】
１０…ドラム式洗濯機      １２…投入口              １４…外箱
１６…水槽                １８…回転槽              ２２…ドア
２８…水槽の開口部        ３４（Ａ〜Ｈ）…ベローズ  ３６…外箱側取付部
４４…外箱の前板          ６４…前側フランジ部      ６６…嵌合溝
６８…固定片部            ７０…ワイヤ              ７０Ａ…一端部
７０Ｂ…他端部            ７０Ｃ…重なり部分        ８０（Ａ〜Ｈ）…突起
８２…切り欠き部          ８４…内周側部分          ８６…外周側部分
８８…第１突条部分        ９０…第２突条部分
Ｔ０…ワイヤによる締結部での固定片部の肉厚    Ｔ１…先端部での固定片部の肉厚
【図１】
0005486871.tif 000002
【図２】
0005486871.tif 000003
【図３】
0005486871.tif 000004
【図４】
0005486871.tif 000005
【図５】
0005486871.tif 000006
【図６】
0005486871.tif 000007
【図７】
0005486871.tif 000008
【図８】
0005486871.tif 000009
【図９】
0005486871.tif 000010
【図１０】
0005486871.tif 000011
【図１１】
0005486871.tif 000012
【図１２】
0005486871.tif 000013
【図１３】
0005486871.tif 000014
【図１４】
0005486871.tif 000015